(57)【要約】【課題】デスキューのための送受信装置及びレーンを用意することなく、低コストでかつ帯域を有効利用する。【解決手段】本発明は、フレーム同期情報を示す特定バイトがパラレル化した際に、レーン毎に異なるパターンとなることを利用してパターンマッチングを行ってパラレル化したレーン間のスキュー量を調整するものであり、パターンマッチング信号を検出した後に、固定遅延と可変遅延を信号に付与し、可変遅延設定に要する時間以上の遅延を固定遅延により付与する。また、レーン毎に検出するパターンマッチング信号とフレーム同期外れの両方を検出する。また、パラレル化する際に、パラレル数ｎとインタリーブするビット数ｍの場合、ｎ×ｍが伝送フレームの総ビット数の約数とならないようにｎとｍを決定する。【選択図】図１
2010130574.tif 000002
【特許請求の範囲】
【請求項１】
パラレル光伝送システムの受信側でパラレルレーン間のデスキューを行うパラレル伝送方法であって、
パターン検出手段が、前記パラレルレーン毎に伝送フレームのフレーム同期情報のパターンを検出するパターン検出ステップと、
相対位置検出手段が、前記パラレルレーン毎に検出された前記パターンの先頭の相対位置を検出する相対位置検出ステップと、
遅延量決定手段が、前記パラレルレーン毎の前記パターンの先頭の相対位置の情報に基づいて、前記パラレルレーン間のスキューを決定する遅延量決定ステップと、
デスキュー手段が、前記スキューを補償するように前記パラレルレーン毎に異なる遅延量を定めるデスキューステップと、
を行い、
前記デスキューステップにおいて、
前記遅延量を、デスキューを設定するのに要する時間より長い固定遅延と補償するスキュー量に応じて変化する可変遅延の和で決定することを特徴とするパラレル伝送方法。
【請求項２】
前記伝送フレームのフレーム同期情報に基づいて、フレーム同期外れを検出するステップと、
前記フレーム同期情報に基づいてフレーム同期が成立するまで可能性のある全ての前記遅延量を与えるステップと、
を更に行う請求項１記載のパラレル伝送方法。
【請求項３】
パラレル光伝送システムの受信側でパラレルレーン間のデスキューを行うパラレル伝送方法であって、
パターン検出手段が、前記パラレルレーン毎に伝送フレームのフレーム同期情報のパターンを検出するパターン検出ステップと、
相対位置検出手段が、前記パラレルレーン毎に検出された前記パターンの先頭の相対位置を検出する相対位置検出ステップと、
遅延量決定手段が、前記パラレルレーン毎の前記パターンの先頭の相対位置の情報に基づいて、前記パラレルレーン間のスキューを決定する遅延量決定ステップと、
デスキュー手段が、前記スキューを補償するように前記パラレルレーン毎に異なる遅延量を定めるデスキューステップと、
を行い、
前記デスキューステップにおいて、
パラレル数をｎ（ｎは２以上の整数）、シリアルパラレル変換を行う際のインタリーブビット数をｍ（ｍは自然数）とするとき、ｎ×ｍが伝送フレームの１フレームの総ビット数の約数以外とすることを特徴とするパラレル伝送方法。
【請求項４】
パラレル光伝送システムの受信側でパラレルレーン間のデスキューを行うパラレル伝送装置であって、
入力された前記パラレルレーン毎に伝送フレームのフレーム同期情報のパターンを検出するパターン検出手段と、
前記パラレルレーン毎に検出された前記パターンの先頭の相対位置を検出する相対位置検出手段と、
前記パラレルレーン毎の前記パターンの先頭の相対位置の情報に基づいて、前記パラレルレーン間のスキューを決定する遅延量決定手段と、
前記スキューを補償するように前記パラレルレーン毎に異なる遅延量を定めるデスキュー手段と、
を有し、
前記デスキュー手段は、
前記遅延量を、デスキューを設定するのに要する時間より長い固定遅延と補償するスキュー量に応じて変化する可変遅延の和で決定する手段を含むことを特徴とするパラレル伝送装置。
【請求項５】
前記伝送フレームのフレーム同期情報に基づいて、フレーム同期外れを検出する手段と、
前記フレーム同期情報に基づいてフレーム同期が成立するまで可能性のある全ての前記遅延量を与える手段と、
を更に有する請求項４記載のパラレル伝送装置。
【請求項６】
パラレル光伝送システムの受信側でパラレルレーン間のデスキューを行うパラレル伝送装置であって、
前記パラレルレーン毎に伝送フレームのフレーム同期情報のパターンを検出するパターン検出手段と、
前記パラレルレーン毎に検出された前記パターンの先頭の相対位置を検出する相対位置検出手段と、
前記パラレルレーン毎の前記パターンの先頭の相対位置の情報に基づいて、前記パラレルレーン間のスキューを決定する遅延量決定手段と、
前記スキューを補償するように前記パラレルレーン毎に異なる遅延量を定めるデスキュー手段と、
を有し、
前記デスキュー手段は、
パラレル数をｎ（ｎは２以上の整数）、シリアルパラレル変換を行う際のインタリーブビット数をｍ（ｍは自然数）とするとき、ｎ×ｍが伝送フレームの１フレームの総ビット数の約数以外とすることを特徴とするパラレル伝送装置。
【発明の詳細な説明】
【技術分野】
【０００１】
本発明は、パラレル伝送方法及びパラレル伝送装置に係り、特に、光信号を並列化して伝送するレーン間のスキューを調整するパラレル伝送方法及びパラレル伝送装置に関する。
【背景技術】
【０００２】
これまで光ファイバ伝送は、時分割多重による高速化が図られてきたが、光ファイバの波長分散等により伝送距離が制限されるという問題が顕在化してきている。
【０００３】
この問題を解決する１つの手段として分散補償ファイバなどの分散補償デバイスを用いることが考えられるが、装置サイズ・装置コスト・付加的な損失の観点からできれば使用を回避することが望ましい。その１つの解決策として高速信号を並列展開して複数の光サブキャリアでパラレル伝送する方式が検討されている。しかし、パラレル伝送では一般に各光サブキャリアの受信端到着時間にばらつきが生じる。これらのばらつきは、例えば、光ファイバの波長分散により光サブキャリア毎に伝搬遅延が異なることや、光サブキャリア毎に通過する経路が異なること、などによって発生する。しかし、各光サブキャリアで伝送される信号は、元来一塊のバルク信号であるため、遅延時間にばらつきが生じると元のデータを復元できない。従って、パラレル伝送では受信端でこのばらつきを補償（デスキュー）することが必要となる。
【０００４】
デスキュー方法としてＳＦＩ−５（Serdes Framer Interface Level 5）を説明する。図２０にＳＦＩ−５によるデスキューの方法を示す。
【０００５】
ＳＦＩ−５では、フレーマＩＣと、パラレル−シリアル変換を行うSerDes（Serializer-Deserializer）ＩＣとの間の１６パラレル電気インタフェースとして定義されている。ＳＦＩ−５のデスキューアルゴリズムは光パラレル伝送にも適用可能である。
【０００６】
以下にその動作を説明する。ＳＦＩ−５では、並列信号を伝送する１６本のレーンに加えて、デスキューレーンとしてもう１本のレーンが設けられる。図２０（Ａ）に示す送信側では、１６パラレルの各レーンの信号をブロック毎に順番にコピーし、コピーした信号をデスキューレーンに順次書き込む。最初はレーン１の信号をコピーし、次はレーン２の信号をコピー、という順に１６番目のレーンの信号をコピーした後、再度レーン１のコピーに戻る。図２０（Ｂ）に示される受信側では、デスキューレーンの信号をレーン１の信号を比較し、ビット列が揃うまでレーン１の信号用のバッファメモリを調整する。同じように、レーン２からレーン１６までのスキューを調整する。ＳＦＩ−５を用いると主信号のプロトコルによらずデスキューが可能である（例えば、非特許文献１参照）。
【非特許文献１】http://www.oiforum.com/public/documents/OIF-SFI5-01.0.pdf
【発明の開示】
【発明が解決しようとする課題】
【０００７】
しかしながら、従来技術ではデスキューのためにレーンを１本追加する必要があり、特に光パラレル伝送では光送受信回数を一式追加する必要があり、一般的に回路規模の増大を招く。さらに、光伝送帯域を余分に必要とするため、限られた帯域の１本の光ファイバで伝送できる主信号の容量を制限することになる。この方式はパラレル数が小さくなるほど帯域利用効率が悪くなり、パラレル数が２の場合には実に１／３の帯域をデスキューのために使用することになる。
【０００８】
本発明は、上記の点に鑑みなされたもので、デスキューのための送受信装置及びレーンを用意することなく、低コストでかつ帯域を有効利用できるパラレル伝送方法及びパラレル伝送装置を提供することを目的とする。
【課題を解決するための手段】
【０００９】
図１は、本発明の原理を説明するための図である。
【００１０】
本発明（請求項１）は、パラレル光伝送システムの受信側でパラレルレーン間のデスキューを行うパラレル伝送方法であって、
パターン検出手段が、入力されたパラレルレーン毎に伝送フレームのフレーム同期情報のパターンを検出するパターン検出ステップ（ステップ１）と、
相対位置検出手段が、パラレルレーン毎に検出されたパターンの先頭の相対位置を検出する相対位置検出ステップ（ステップ２）と、
遅延量決定手段が、パラレルレーン毎のパターンの先頭の相対位置の情報に基づいて、パラレルレーン間のスキューを決定する遅延量決定ステップ（ステップ３）と、
デスキュー指示手段が、スキューを補償するようにパラレルレーン毎に異なる遅延量を定めるデスキュー指示ステップ（ステップ４）と、
を行い、
デスキュー指示ステップ（ステップ４）において、
遅延量を、デスキューを設定するのに要する時間より長い固定遅延と補償するスキュー量に応じて変化する可変遅延の和で決定する。
【００１１】
上記のように、パターンマッチングを利用してパラレル化した信号を検出した後に、固定遅延と可変遅延を信号に付与し、可変遅延設定に要する時間以上の遅延を固定遅延により付与することにより、運用中にスキューが変化した場合でも信号が到達する前に可変遅延によるデスキューの再設定が完了しているので、運用中に同期外れが生じないという効果を奏する。
【００１２】
また、本発明（請求項２）は、伝送フレームのフレーム同期情報に基づいて、フレーム同期外れを検出するステップと、
フレーム同期情報に基づいてフレーム同期が成立するまで可能性のある全ての遅延量を与えるステップと、を更に行う。
【００１３】
上記のように、レーン毎に検出するパターンマッチング信号と同期外れの両方を検出することにより、各レーンで誤ってパターンマッチングした場合でも、フレーム同期外れ情報をもとに遅延量を変化させるので、フレーム同期を確立できる。
【００１４】
本発明（請求項３）は、パラレル光伝送システムの受信側でパラレルレーン間のデスキューを行うパラレル伝送方法であって、
パターン検出手段が、パラレルレーン毎に伝送フレームのフレーム同期情報のパターンを検出するパターン検出ステップと、
相対位置検出手段が、パラレルレーン毎に検出されたパターンの先頭の相対位置を検出する相対位置検出ステップと、
遅延量決定手段が、パラレルレーン毎のパターンの先頭の相対位置の情報に基づいて、パラレルレーン間のスキューを決定する遅延量決定ステップと、
補償手段が、スキューを補償するようにパラレルレーン毎に異なる遅延量を定めるデスキュー指示ステップと、
を行い、
デスキューステップにおいて、
パラレル数をｎ（ｎは２以上の整数）、シリアルパラレル変換を行う際のインタリーブビット数をｍ（ｍは自然数）とするとき、ｎ×ｍが伝送フレームの１フレームの総ビット数の約数以外とする。
【００１５】
上記のように、パラレル化する際に、パラレル数ｎとインタリーブビット数ｍの場合、ｎ×ｍが伝送フレームの総ビット数の約数とならないようにｎとｍを決めることにより、パターンマッチング信号が現われる周期がフレーム周期以上になり、フレーム周期より長いスキューの検出が可能となる。
【００１６】
図２は、本発明の原理構成図である。
【００１７】
本発明（請求項４）は、パラレル光伝送システムの受信側でパラレルレーン間のデスキューを行うパラレル伝送装置であって、
入力されたパラレルレーン毎に伝送フレームのフレーム同期情報のパターンを検出するパターン検出手段１０と、
パラレルレーン毎に検出されたパターンの先頭の相対位置を検出する相対位置検出手段２０と、
パラレルレーン毎のパターンの先頭の相対位置の情報に基づいて、パラレルレーン間のスキューを決定する遅延量決定手段３０と、
スキューを補償するようにパラレルレーン毎に異なる遅延量を定めるデスキュー手段４９と、
を有し、
デスキュー手段４０は、
遅延量を、デスキューを設定するのに要する時間より長い固定遅延と補償するスキュー量に応じて変化する可変遅延の和で決定する手段を含む。
【００１８】
また、本発明（請求項５）は、伝送フレームのフレーム同期情報に基づいて、フレーム同期外れを検出する手段と、
フレーム同期情報に基づいてフレーム同期が成立するまで可能性のある全ての遅延量を与える手段と、を更に有する。
【００１９】
本発明（請求項６）は、パラレル光伝送システムの受信側でパラレルレーン間のデスキューを行うパラレル伝送装置であって、
パラレルレーン毎に伝送フレームのフレーム同期情報のパターンを検出するパターン検出手段と、
パラレルレーン毎に検出されたパターンの先頭の相対位置を検出する相対位置検出手段と、
パラレルレーン毎のパターンの先頭の相対位置の情報に基づいて、パラレルレーン間のスキューを決定する遅延量決定手段と、
スキューを補償するようにパラレルレーン毎に異なる遅延量を定めるデスキュー手段と、
を有し、
デスキュー手段は、
パラレル数をｎ（ｎは２以上の整数）、シリアルパラレル変換を行う際のインタリーブビット数をｍ（ｍは自然数）とするとき、ｎ×ｍが伝送フレームの１フレームの総ビット数の約数以外とする。
【発明の効果】
【００２０】
上述のように本発明によれば、主信号が伝達する情報をのみを用いてデスキューを実現するので、デスキューのための追加の光送受信装置または伝送路を設ける必要がなく、大容量パラレル伝送システムを低コストで実現することができる。
【００２１】
また、本発明によれば、運用中にスキューが変化した場合でもフレーム同期はずれを起こすことなく、スキューの変化に追従することができる。
【００２２】
また、本発明によれば、各レーンで誤った同期パターン検出が起こった場合でも最終的には伝送フレームのフレーム同期を確立することができる。
【００２３】
また、本発明によれば、同期パターンの周期を複数のフレーム周期に拡大できるため、伝送フレーム長より大きなスキューの検出が可能となる。
【発明を実施するための最良の形態】
【００２４】
以下、図面と共に本発明の実施の形態を説明する。
【００２５】
［第１の実施の形態］
図３は、本発明の第１の実施の形態におけるパラレル光伝送装置の構成図である。
【００２６】
同図に示すパラレル光伝送装置は、ＯＴＮ（Optical Transport Network）などの送信側フレーマ１００、送信側コンバータ２００、４並列（パラレル数ｎ＝４）のパラレル光送信器３００、合波器４００、光ファイバ５００、分波器６００、４並列（ｎ＝４）のパラレル光送信器７００、受信側コンバータ８００、受信側フレーマ９００から構成される。
【００２７】
同図の例では、パラレル数ｎ＝４の場合を示す。送信側フレーマ１００で生成されたＯＴＮフレームなどの伝送フレームは、ＳＦＩ−５インタフェースにより送信側コンバータ２００に入力される。送信側コンバータ２００では、入力された１６パラレル信号は、１ビットまたは複数ビット（インタリーブビット数ｍとする）毎に４パラレル信号に変換される。送信側コンバータ２００から出力される４パラレル信号は、パラレル光送信器３００で４つの異なる波長の光信号に変換された後、合波器４００で１つの光ファイバに結合されて伝送路光ファイバ５００に送出される。受信側では、分波器６００で波長毎の４つの光信号に分離され、パラレル光受信器７００に入力される。パラレル光受信器７００では４つの光信号をそれぞれ電気信号に変換して受信側コンバータ８００に入力する。受信側コンバータ８００では、４つのパラレル信号の遅延差を検出して遅延差の補償を行った後、送信側と同じビット数毎に１６パラレル信号に変換される。受信側コンバータ８００は、受信側フレーマ９００とＳＦＩ−５で接続され、受信側フレーマでＯＴＮフレームなどの伝送フレームは終端される。フレーマ９００とコンバータ８００の間のインタフェースは、ＳＦＩ−５以外の標準化されたインタフェースでもよいし、シリアルインタフェースでもよい。
【００２８】
以下に、受信側コンバータ８００について説明する。
【００２９】
図４は、本発明の第１の実施の形態における受信側コンバータの構成例である。
【００３０】
同図に示す受信側コンバータ８００は、レーン数分配置される、バッファ８０１、パターン検出回路８０２、固定遅延回路８０３、可変遅延回路８０４、及び、１つずつ配置される相対位置検出回路８０７、遅延量決定回路８０８、デスキュー指示回路８０９、インタリーブ回路８０５、ＳＦＩ−５インタフェース回路８０６から構成される。
【００３１】
同図に示す受信側コンバータ８００のパラレル数はｎ＝４である。パラレル受信器７００から入力される４つの信号（レーン１，２，３，４）は、レーン毎のバッファ８０１を介してパターン検出回路８０２に入力される。パターン検出回路８０２では、ＯＴＮフレームなどの伝送フレームのフレーム同期パターンに起因する特徴的なパターンを各レーン毎に検出する。各レーンで検出されたパターンから相対位置検出回路８０７で当該パターンの先頭の相対位置を検出し、遅延量決定回路８０８で相対位置に基づいて各レーン間の遅延量（スキュー）を検出する。デスキュー指示回路８０９において、各レーンで検出されたパターンから遅延量決定回路８０８で検出された遅延差に基づいて各レーンの遅延補償（デスキュー）量を決定する。
【００３２】
一方、各レーンの信号はパターン検出回路８０２を通過後、検出された遅延差から各レーンのデスキュー量を決定して可変遅延回路８０４の遅延を所望の値に設定するまで、固定遅延回路８０３で遅延される。所望の値に設定された可変遅延回路８０４を通過した信号は、インターリーブ回路８０５で１ビットまたは複数ビット毎に１６パラレル信号に変換される。変換された１６パラレル信号は、ＳＦＩ−５インタフェース回路８０６でＳＦＩ−５インタフェース信号に変換され、伝送フレーマに入力される。
【００３３】
具体的な伝送フレーム同期パターンを用いて、各レーンの同期パターンがどうなるか見ていくこととする。
【００３４】
図５は、本発明の第１の実施の形態における同期パターンビット列を示す図（その１）である。同図は、ＯＴＮフレームの１つであるＯＴＵ３フレームのフレーム同期パターンのビット列とそれをインタリーブビット数ｍ＝１で４パラレル展開した４つのレーンの同期パターンビット列を示す。ＯＴＵ−３フレームは、同図（Ａ）に示すように、各フレームの先頭に６byte（48bit）のフレーム同期パターンを持ち、フレーム毎に必ずこのパターンが現われる。ＯＴＮフレーマは、このパターンを検出することによりフレーム同期を行っている。このパターンを１ビット毎に４つのパラレル信号（レーン１，２，３，４）に変換したものを同時に図５（Ｂ）に示す。各レーン毎に１２ビットの特徴的なパターンが現われていることがわかる。受信側コンバータ８００では、この特徴的なパターンを検出することにより、各レーンの遅延差を検出して遅延差補償（デスキュー）を行う。
【００３５】
図６〜図１０は、それぞれインタリーブビット数ｍ＝２，３，４，６，１２の場合の同期パターンビット列を表す。これらはどの場合でも４つの各レーンで特徴的なパターンが得られるため、そのパターンを検出することにより遅延差補償（デスキュー）を行うことができる。
【００３６】
しかし、これまでに示した例は、フレーム周期の半分以上の遅延差（スキュー）が発生した場合は正しい遅延差が検出できなくなる。フレーム周期の半分以上の遅延差（スキュー）を検出するためには、インタリーブビット数ｍの値を適当に選べばよいことを次に説明する。
【００３７】
図１１は、本発明の第１の実施の形態における同期パターンビット列を示す図（その７）である。同図は、インタリーブビット数ｍ＝７の場合の同期パターンビット列を示す。伝送フレーム同期パターンのビット数（４８）が、パラレル数ｎとインタリーブビット数ｍの積（ｎ×ｍ＝４×７＝２８）の倍数でないため、各レーンの同期パターンビット数は異なるが、各レーンにそれぞれ特徴的なパターンが現われる。一方、１つのレーンに注目してみると、例えば、同図（Ｂ）のレーン１には、伝送フレームのビットがｎ×ｍ＝２８ビット毎に現われる。ＯＴＵ３フレームの１フレームのビット数は、４０８０×４×８＝１３０５６０ビットであり、素因数分解すると１３０５６０＝１７×５×３×２９となり、２８（＝７×２２）の倍数とはならない。従って、レーン１に現われる同期パターンは１伝送フレーム（１３０５６０ビット）毎ではなく、１３０５６０と２８の最小公倍数９１３９２０（＝１３０５６０×７）ビット、すなわち７伝送フレーム毎に現われることになる。上述のように、この例では、検出可能な遅延差（スキュー）を７倍に拡大できることがわかる。
【００３８】
同様に、パラレル数ｎ×インタリーブビット数ｍが１伝送フレームの総ビット数の約数でない場合を図１２〜図１４に示す。図１２はｍ＝９、図１３はｍ＝１１、図１４はｍ＝１３の場合であり、検出可能な遅延差（スキュー）をｎ×ｍが１３０５６０の約数である場合に比べて、それぞれ３倍、１１倍、１３倍に拡大することができる。一般化すると、検出可能な遅延差（スキュー）は、
±（１フレーム継続時間）／２×（ｎ×ｍと１伝送フレームの総ビット数の最小公倍数）／（１伝送フレームの総ビット数）
となる。
【００３９】
［第２の実施の形態］
本実施の形態では、図３の受信側コンバータ８００の別の構成について説明する。他の構成要素については、第１の実施の形態と同様であるため、その説明を省略する。
【００４０】
図１５は、本発明の第２の実施の形態における受信側コンバータの構成を示す。
【００４１】
同図に示す構成では、パラレル数は一般化してｎとしている。図４に示した構成と異なるのは、受信側コンバータ８００の後段に接続された受信側フレーマ９００からのフレーム同期信号を受信側コンバータ８００内のＯＯＦ（Out Of Frame）／ＬＯＦ（Los Of Frame）検出回路８３１に入力し、ＯＯＦとＬＯＦの少なくとも一方を検出する。ＯＯＦ／ＬＯＦ検出回路８３１では、ＯＯＦとＬＯＦの少なくとも一方が検出され、かつその状態がある保護段数分だけ続いた場合、可変遅延器８２４で与える遅延量の決定をやり直す。各レーンのパターン検出が成功しているにもかかわらず、伝送フレーム同期が確立できないのは、ビット誤りが発生した場合、各レーンの同期パターンが本来の同期パターンでないところに偶然発生した場合、遅延差（スキュー）が検出可能な範囲を超えた場合などが考えられる。これらの場合は、伝送フレーム同期が確立するまで各レーンの遅延量を可能性のある全ての組み合わせを試すことにより、最終的に伝送フレーム同期を確立することができる。
【００４２】
この効果は、パラレル数が大きくなるほど大きくなる。図１６に、パラレル数ｎ＝８、インタリーブビット数ｍ＝１の場合、図１７に、パラレル数ｎ＝１２、インタリーブビット数ｍ＝１の場合のパターン同期ビット列を示す。各レーンの同期パターンのビット数は、それぞれ６ビット、４ビットであり、ｎ＝４の場合の１２ビットに比べて短くなっている。同期パターン長が短くなると、本来同期パターンでないところに同期パターンが偶然現われる確率が高くなる。また、異なるレーンで同じパターンが発生しているところも見られる。これは、各レーンのフレームを検出することに問題はないが、レーンの識別が必要な場合には問題となってくる。例えば、各レーンを異なるファイバで伝送する場合や１つのファイバ内で異なる波長で伝送する場合などは、各レーンを受信側コンバータの各入力ポートに１対１に固定的に対応させることができるため、必ずしもレーンの識別は必要ではない。
【００４３】
一方、各レーンを多値変調の１シンボルあたりのビット数に対応させる場合などは受信側コンバータの各入力ポートに必ずしも固定的に対応させられない場合も考えられるため、レーンの識別が必要になる場合もある。このようにレーンの識別が必要な場合であっても、伝送フレーマかラのフレーム同期情報を用いて、各レーンが現われるポートと各レーンの遅延量において可能性のある全ての組み合わせを試すことにより、最終的に伝送フレーム同期を確立することができる。
【００４４】
図１８にパラレル数ｎ＝５，インタリーブビット数ｍ＝１の場合の同期ビット列を示す。各レーンの同期パターンビット数は必ずしも同じではないが、各レーンに特徴的なパターンが現われており、各レーンの同期パターンを検出することにより各レーン間の遅延差（スキュー）を検出できることがわかる。
【００４５】
図１９には、パラレル数ｎ＝５，インタリーブビット数ｍ＝５の場合の同期ビット列を示す。これは前述のｎ×ｍが伝送フレームの１フレームの総ビット数の約数でない場合に相当し、検出可能な遅延量（スキュー）を５倍に拡大することができる。
【００４６】
上記のように、本発明では、パラレル伝送時のデキュー手段として、ＳＤＨ／ＳＯＮＥＴあるいはＯＴＮのフレーム同期情報を示す特定バイトがパラレル化した際に、レーン毎に異なるパターンとなることを利用したパターンマッチングを適用してパラレル化したレーン間のスキュー量を調整することにより、デスキューのための送受信装置及びレーンを用意する必要がなくなる。
【００４７】
なお、本発明は、上記の実施の形態に限定されることなく、特許請求の範囲内において種々変更・応用が可能である。
【産業上の利用可能性】
【００４８】
本発明は、光信号を並列化して伝送する技術の、特に、パラレル光伝送システムのパラレルレーン間のデスキューを行う技術に適用可能である。
【図面の簡単な説明】
【００４９】
【図１】本発明の原理を説明するための図である。
【図２】本発明の原理構成図である。
【図３】本発明の第１の実施の形態におけるパラレル光伝送装置の構成図である。
【図４】本発明の第１の実施の形態における受信側コンバータの構成例である。
【図５】本発明の第１の実施の形態における同期パターンビット列を示す図（その１）である。
【図６】本発明の第１の実施の形態における同期パターンビット列を示す図（その２）である。
【図７】本発明の第１の実施の形態における同期パターンビット列を示す図（その３）である。
【図８】本発明の第１の実施の形態における同期パターンビット列を示す図（その４）である。
【図９】本発明の第１の実施の形態における同期パターンビット列を示す図（その５）である。
【図１０】本発明の第１の実施の形態における同期パターンビット列を示す図（その６）である。
【図１１】本発明の第１の実施の形態における同期パターンビット列を示す図（その７）である。
【図１２】本発明の第１の実施の形態における同期パターンビット列を示す図（その８）である。
【図１３】本発明の第１の実施の形態における同期パターンビット列を示す図（その９）である。
【図１４】本発明の第１の実施の形態における同期パターンビット列を示す図（その１０）である。
【図１５】本発明の第２の実施の形態における受信側コンバータの構成図である。
【図１６】本発明の第２の実施の形態における同期パターンビット列を示す図（その１）である。
【図１７】本発明の第２の実施の形態における同期パターンビット列を示す図（その２）である。
【図１８】本発明の第２の実施の形態における同期パターンビット列を示す図（その３）である。
【図１９】本発明の第２の実施の形態における同期パターンビット列を示す図（その４）である。
【図２０】従来のＳＦＩ−５で規定されているデスキュー方法を示す図である。
【符号の説明】
【００５０】
１０  パターン検出手段
２０  相対位置検出手段
３０  遅延量決定手段
４０  デスキュー手段
１００  送信側フレーマ
２００  送信側コンバータ
３００  パラレル光送信器
４００  合波器
５００  光ファイバ
６００  分波器
７００  パラレル光受信器
８００  受信側コンバータ
８０１  バッファ
８０２  パターン検出回路
８０３  固定遅延回路
８０４  可変遅延回路
８０５  インタリーブ回路
８０６  ＳＦＩ−５インタフェース回路
８０７  相対位置検出回路
８０８  遅延量決定回路
８０９  デスキュー指示回路
８２１  バッファ
８２２  パターン検出回路
８２３  固定遅延回路
８２４  可変遅延回路
８２５  インタリーブ回路
８２６  ＳＦＩ−５インタフェース回路
８２８  相対位置検出回路
８２９  遅延量決定回路
８３０  デスキュー指示回路
８３１  ＯＯＦ／ＬＯＦ検出回路
９００  受信側フレーマ
【図１】
2010130574.tif 000003
【図２】
2010130574.tif 000004
【図３】
2010130574.tif 000005
【図４】
2010130574.tif 000006
【図５】
2010130574.tif 000007
【図６】
2010130574.tif 000008
【図７】
2010130574.tif 000009
【図８】
2010130574.tif 000010
【図９】
2010130574.tif 000011
【図１０】
2010130574.tif 000012
【図１１】
2010130574.tif 000013
【図１２】
2010130574.tif 000014
【図１３】
2010130574.tif 000015
【図１４】
2010130574.tif 000016
【図１５】
2010130574.tif 000017
【図１６】
2010130574.tif 000018
【図１７】
2010130574.tif 000019
【図１８】
2010130574.tif 000020
【図１９】
2010130574.tif 000021
【図２０】
2010130574.tif 000022